(57)【要約】      （修正有）【課題】塗料攪拌装置に、回転軸を保護するための、排気口を有し、かつ自由に伸縮する保護具を備えることにより、溶剤の大気中への拡散、および攪拌羽根による巻き込みの危険を防止する。【解決手段】タンク上部を蓋体１２にて大気への溶剤の拡散を防止し、回転自在に支持する回転軸受１４と攪拌羽根１３を一体的に取り付け、かつ回転軸３が上下し、さらに、上記蓋体上に、上記回転軸を回転自在に支持する軸受と回転軸に回転動力を与える駆動装置４を備え、かつその回転軸を保護するための、排気口１１を有し、かつ自由に伸縮する保護具９を備える。【選択図】図１
0003105641.tif 000002
【実用新案登録請求の範囲】
【請求項１】
タンク上部を蓋体で遮断できるようにしてなる蓋体を通して、大気への溶剤の拡散を防止し、回転自在に支持する回転軸受と、該回転軸の下端部に攪拌羽根を一体的に取り付け、かつ該回転軸が上下し、更に、上記蓋体上に、上記回転軸を回転自在に支持する軸受と回転軸に回転動力を与える駆動装置を備え、かつその回転軸を保護するための、排気口を有し、かつ自由に伸縮する保護具を備えたことを特徴とする塗料攪拌装置。
【考案の詳細な説明】
【技術分野】
【０００１】
本考案は、移動式タンクを用いた塗料の製造工程において、塗料に使用する原料である顔料、樹脂、硬化剤、添加剤等の均一性を得るために、塗料を攪拌するための塗料攪拌装置に関するものである。
【背景技術】
【０００２】
塗料中には、溶け合っていない固形状のものが混入していることがあり、かかる塗料は塗工装置に供給するときに円滑に供給できなかったり、塗工装置から被塗装物へ均一に塗布することができなかったりすることがある。そのため、十分に攪拌して、塗料原料の均一性を持たせるようにすることが従来から行われている。
【０００３】
従来の塗料攪拌装置は図３に一例を示す如く、移動タンク１内の塗料２を攪拌するための攪拌羽根１３を上下方向に配した回転軸３の先端部（下端部）に取り付け、該回転軸３の上端部を軸受１４にて回転自在に支持させ、該回転軸３に固定したプーリー５（ｂ）と駆動モーター４の出力軸上のプーリー５（ａ）との間に無端のベルト６を掛け回し、駆動モーター４を駆動して動力を回転軸３へと伝えることにより攪拌羽根１３が回転して塗料２を攪拌することができるようにしてある。移動タンク上部は開放式になっていた。
また、固定タンクの密閉方式による塗料攪拌装置が示されている。（特許文献１）しかし、この考案は固定タンクへの対応であり、さらに、回転軸３、攪拌羽根１３はタンク内から動かないものであった。
【特許文献１】実開平７−２５９７０号公報
【考案の開示】
【考案が解決しようとする課題】
【０００４】
従来の移動式タンクを用いた塗料攪拌装置の場合、溶剤が大気中に自由に放出されるという問題があった。また、従来の塗料攪拌装置では、移動タンクがセットされていない状態（図４参照）の場合、回転軸３、攪拌羽根１３がむきだしの状態にあり、非常に危険であるという問題もあった。また、固定タンクの密閉方式による塗料攪拌装置では、移動タンクには利用することが出来ず、さらに、回転軸３、攪拌羽根１３はタンク内から動かないため、回転軸３、攪拌羽根１３がむきだしになる危険はなかったが、塗料の色替が簡単に出来ないといった欠点があった。
【０００５】
そこで、本考案は塗料攪拌装置を使用中の、溶剤の大気中への自由な放出を防ぎ、塗料の色替が簡単に出来、さらに、塗料攪拌装置の未使用時に、巻き込まれによる危険性を防止するようにした塗料攪拌装置を提供しようとするものである。
【課題を解決するための手段】
【０００６】
本考案は、上記課題を解決するために、タンク上部を蓋体で遮断できるようにしてなる蓋体を通して、大気への溶剤の拡散を防止し、回転自在に支持する回転軸受と、該回転軸の下端部に攪拌羽根を一体的に取り付け、かつ該回転軸が上下し、さらに、上記蓋体上に、上記回転軸を回転自在に支持する軸受と回転軸に回転動力を与える駆動装置を備え、かつその回転軸を保護するための、排気口を有し、かつ自由に伸縮する保護具を備えたことを特徴とする。
【考案の効果】
【０００７】
本考案の塗料攪拌装置は、使用時には溶剤の大気中への自由な放出を防ぎ、未使用時には、作業者が直接回転軸や攪拌羽根と直接接触できない構造になっていることから、作業者にとって安全であるという利点がある。
【考案を実施するための最良の形態】
【０００８】
本考案では、保護具に排気口を備えることによって、塗料攪拌装置を使用中は、排気口から吸引することによって、溶剤の大気中への放出を防止し、塗料攪拌装置の未使用時には、回転軸３、攪拌羽根１３を自由に伸縮する保護具で覆うことによって、回転軸３、攪拌羽根１３の回転による巻き込まれの危険を防止することを実現した。
【実施例１】
【０００９】
以下、図面に基づき本考案の実施例を説明する。
【００１０】
図１は本考案装置の一実施例、使用時の側面図を、図２は本考案装置の一実施例、未使用時の正面図を示す。タンク１の上部を大気から遮断する蓋体１２を被せ、その蓋体中央には保護カバー９（ａ）は装着できる開口部があり、図１のように使用時には、排気口１１付の保護カバー９が蓋体１２に装着され、排気口はダクトで接続・吸引されて、塗料から揮発する溶剤は処理設備へ導かれる。駆動モーター４に付属したプーリー５（ａ）の回転を、ベルト６を介してプーリー５（ｂ）を回転させることによって、回転軸３、攪拌羽根１３を回転させて塗料２を攪拌する。塗料の攪拌終了後には、支持体（油圧シリンダー）８により、駆動系を上に持ち上げる。この時、折りたたまれていた保護カバー９（ａ）〜９（ｄ）はガイドバーを介しながら、順次スライド式に伸び、回転軸３、攪拌羽根１３を保護する。支持体８のシリンダーを伸ばしきった時、タンクと塗料攪拌装置は分離される。塗料２の入ったタンクを移動後、支持体８のシリンダーを縮めると図２のように回転軸３、攪拌羽根１３がスライド式に伸びた保護カバーにより保護された状態になり、巻き込まれを防止する。
【００１１】
なお、本考案は上記実施例に限定されるものではなく、たとえば、保護カバーは４段で示したが、塗料攪拌装置の大きさによって、その段数を変更することができ、その他本考案の要旨を逸脱しない範囲内で種々変更を加え得ることは勿論である。
【００１２】
なお、図３、図４は従来の塗料攪拌装置のそれぞれ側面図、正面図を示す。
【図面の簡単な説明】
【００１３】
【図１】本考案の塗料攪拌装置の側面図
【図２】本考案の塗料攪拌装置の正面図
【図３】従来の塗料攪拌装置の側面図
【図４】従来の塗料攪拌装置の側面図
【符号の説明】
【００１４】
１                タンク
２                塗料
３                回転軸
４                駆動モーター
５（ａ）〜（ｂ）  プーリー
６                ベルト
７                ベルトカバー
８                支持体（油圧シリンダー）
９（ａ）〜（ｄ）  保護カバー
１０              ガイドバー
１１              排気口（ダンパー付）
１２              蓋体
１３              攪拌羽根
１４              軸受
【図１】
0003105641.tif 000003
【図２】
0003105641.tif 000004
【図３】
0003105641.tif 000005
【図４】
0003105641.tif 000006